(57)【特許請求の範囲】
【請求項１】
複数の移動局と通信する無線ネットワークにおける使用のために、第１の移動局にＯＦＤＭシンボルのダウンリンクサブフレームを送信する基地局であって、
各ダウンリンクサブフレームは、複数のリソースブロックを含み、ダウンリンクサブフレームのリソースブロックのＰＤＳＣＨ領域が、１）セル特定基準信号（ＣＲＳ）リソース要素、及び２）チャンネル状態情報基準信号（ＣＳＩ−ＲＳ）リソース要素のうち少なくとも一つを含むか否かによって決定されるサブフレーム（ＳＦ）タイプに関連され、前記基地局は、ＣＱＩ、ＰＭＩ、変調方式、及び送信ブロックサイズのうち少なくとも一つを前記第１の移動局から受信し、前記ＣＱＩ、ＰＭＩ、変調方式、及び送信ブロックサイズのうち少なくとも一つを決定するために前記第１の移動局により使用されるデフォルトＳＦタイプに従って前記受信したＣＱＩ、ＰＭＩ、変調方式、及び送信ブロックサイズのうち少なくとも一つを解釈する
ことを特徴とする基地局。
【請求項２】
前記デフォルトＳＦタイプは、
前記ＰＤＳＣＨ領域がＣＲＳ要素を包含せず、且つＣＳＩ−ＲＳ要素を包含しない第１のＳＦタイプと、
前記ＰＤＳＣＨ領域がＣＲＳ要素を包含しないが、ＣＳＩ−ＲＳ要素を含む第２のＳＦタイプと、
前記ＰＤＳＣＨ領域がＣＲＳ要素を含むが、ＣＳＩ−ＲＳ要素を包含しない第３のＳＦタイプと、
前記ＰＤＳＣＨ領域がＣＲＳ要素を含み、且つＣＳＩ−ＲＳ要素を含む第４のＳＦタイプのうち一つを含む
ことを特徴とする請求項１に記載の基地局。
【請求項３】
前記基地局は、前記デフォルトＳＦタイプを示す信号を前記第１の移動局に送信する
ことを特徴とする請求項１に記載の基地局。
【請求項４】
前記デフォルトＳＦタイプで、前記ＰＤＳＣＨ領域は移動局特定復調基準信号（ＤＭ−ＲＳ）リソース要素をさらに含み、前記ＰＤＳＣＨ領域で前記ＤＭ−ＲＳリソース要素の数及び位置は前記第１の移動局に知られており、前記第１の移動局は前記ＣＱＩ、ＰＭＩ、変調方式、及び送信ブロックサイズのうち少なくとも一つを決定する場合に前記ＤＭ−ＲＳリソース要素を考慮する
ことを特徴とする請求項１に記載の基地局。
【請求項５】
前記ＰＤＳＣＨ領域でＤＭ−ＲＳリソース要素の数及び位置は、前記第１の移動局によって送信されるランクインジケータフィードバック値に基づく
ことを特徴とする請求項４に記載の基地局。
【請求項６】
前記ＰＤＳＣＨ領域でＤＭ−ＲＳリソース要素の数及び位置は、ランクインジケータフィードバック値を包含するＰＵＣＣＨ報告を通じて前記基地局に最も直近に送信されるランクインジケータフィードバック値に基づく
ことを特徴とする請求項４に記載の基地局。
【請求項７】
前記ＰＤＳＣＨ領域でＤＭ−ＲＳリソース要素の数及び位置は、ＰＵＳＣＨ報告を通じて前記ＣＱＩ、ＰＭＩ、変調方式、及び送信ブロックサイズのうち少なくとも一つと一緒に前記基地局に送信されるランクインジケータに基づく
ことを特徴とする請求項４に記載の基地局。
【請求項８】
複数の移動局と通信する無線ネットワークの基地局で使用するために、ダウンリンクを通じて第１の移動局に送信する方法であって、
第１の移動局にＯＦＤＭシンボルのダウンリンクサブフレームを送信するステップと、
ＣＱＩ、ＰＭＩ、変調方式、及び送信ブロックサイズのうち少なくとも一つを前記第１の移動局から受信するステップと、
前記ＣＱＩ、ＰＭＩ、変調方式、及び送信ブロックサイズのうち少なくとも一つを決定するために、前記第１の移動局により使用されるデフォルトＳＦタイプに従って前記受信したＣＱＩ、ＰＭＩ、変調方式、及び送信ブロックサイズのうち少なくとも一つを解釈するステップと、を有し、
前記ダウンリンクサブフレームの各々は、複数のリソースブロックを含み、ダウンリンクサブフレームのリソースブロックのＰＤＳＣＨ領域が、１）セル特定基準信号（ＣＲＳ）リソース要素及び２）チャンネル状態情報基準信号（ＣＳＩ−ＲＳ）リソース要素のうち少なくとも一つを含むか否かによって決定されるサブフレーム（ＳＦ）タイプに関連される
ことを特徴とする送信方法。
【請求項９】
前記デフォルトＳＦタイプは、
前記ＰＤＳＣＨ領域がＣＲＳ要素を包含せず、且つＣＳＩ−ＲＳ要素を包含しない第１のＳＦタイプと、
前記ＰＤＳＣＨ領域がＣＲＳ要素を包含しないが、ＣＳＩ−ＲＳ要素を含む第２のＳＦタイプと、
前記ＰＤＳＣＨ領域がＣＲＳ要素を含むが、ＣＳＩ−ＲＳ要素を包含しない第３のＳＦタイプと、
前記ＰＤＳＣＨ領域がＣＲＳ要素を含み、且つＣＳＩ−ＲＳ要素を含む第４のＳＦタイプのうち一つを含む
ことを特徴とする請求項８に記載の送信方法。
【請求項１０】
前記デフォルトＳＦタイプを示す信号を前記第１の移動局に送信するステップをさらに有する
ことを特徴とする請求項８に記載の方法。
【請求項１１】
前記デフォルトＳＦタイプで、前記ＰＤＳＣＨ領域は移動局特定復調基準信号（ＤＭ−ＲＳ）リソース要素をさらに含み、前記ＰＤＳＣＨ領域で前記ＤＭ−ＲＳリソース要素の数及び位置は前記第１の移動局に知られており、前記第１の移動局は前記ＣＱＩ、ＰＭＩ、変調方式、及び送信ブロックサイズのうち少なくとも一つを決定する場合に前記ＤＭ−ＲＳリソース要素を考慮する
ことを特徴とする請求項８に記載の方法。
【請求項１２】
前記ＰＤＳＣＨ領域でＤＭ−ＲＳリソース要素の数及び位置は、前記第１の移動局によって送信されるランクインジケータフィードバック値に基づく
ことを特徴とする請求項１１に記載の方法。
【請求項１３】
前記ＰＤＳＣＨ領域でＤＭ−ＲＳリソース要素の数及び位置は、ランクインジケータフィードバック値を包含するＰＵＣＣＨ報告を通じて前記基地局に最も直近に送信されるランクインジケータフィードバック値に基づく
ことを特徴とする請求項１１に記載の方法。
【請求項１４】
前記ＰＤＳＣＨ領域でＤＭ−ＲＳリソース要素の数及び位置は、ＰＵＳＣＨ報告を通じて前記ＣＱＩ、ＰＭＩ、変調方式、及び送信ブロックサイズのうち少なくとも一つと一緒に前記基地局に送信されるランクインジケータに基づく
ことを特徴とする請求項１１に記載の方法。
【請求項１５】
複数の基地局を含む無線ネットワークで使用される移動局であって、
前記移動局は、第１の移動局からＯＦＤＭシンボルのダウンリンクサブフレームを受信し、各ダウンリンクサブフレームは複数のリソースブロックを包含し、ダウンリンクサブフレームのリソースブロックのＰＤＳＣＨ領域が、１）セル特定基準信号（ＣＲＳ）リソース要素及び２）チャンネル状態情報基準信号（ＣＳＩ−ＲＳ）リソース要素のうち少なくとも一つを含むか否かによって決定されるサブフレーム（ＳＦ）タイプと関連し、前記移動局は、前記受信したダウンリンクサブフレームがデフォルトＳＦタイプであると仮定し、前記デフォルトＳＦタイプに従って前記ＣＱＩ、ＰＭＩ、変調方式、及び送信ブロックサイズのうち少なくとも一つを決定するために前記受信したダウンリンクサブフレームを使用する
ことを特徴とする移動局。
【請求項１６】
前記デフォルトＳＦタイプは、
前記ＰＤＳＣＨ領域がＣＲＳ要素を包含せず、且つＣＳＩ−ＲＳ要素を包含しない第１のＳＦタイプと、
前記ＰＤＳＣＨ領域がＣＲＳ要素を包含しないが、ＣＳＩ−ＲＳ要素を含む第２のＳＦタイプと、
前記ＰＤＳＣＨ領域がＣＲＳ要素を含むが、ＣＳＩ−ＲＳ要素を包含しない第３のＳＦタイプと、
前記ＰＤＳＣＨ領域がＣＲＳ要素を含み、且つＣＳＩ−ＲＳ要素を含む第４のＳＦタイプのうちいずれか一つを含む
ことを特徴とする請求項１５に記載の移動局。
【請求項１７】
前記移動局は、第１の基地局から前記デフォルトＳＦタイプを示す信号を受信する
ことを特徴とする請求項１５に記載の移動局。
【請求項１８】
前記デフォルトＳＦタイプで、前記ＰＤＳＣＨ領域は、移動局特定復調基準信号（ＤＭ−ＲＳ）リソース要素をさらに含み、前記ＰＤＳＣＨ領域で前記ＤＭ−ＲＳリソース要素の数及び位置は前記移動局に知られており、前記移動局は前記デフォルトＳＦタイプに従って前記ＣＱＩ、ＰＭＩ、変調方式、及び送信ブロックサイズのうち少なくとも一つを決定するために前記ＤＭ−ＲＳリソース要素を使用する
ことを特徴とする請求項１５に記載の移動局。
【請求項１９】
前記ＰＤＳＣＨ領域で前記ＤＭ−ＲＳリソース要素の数及び位置は、前記移動局によって前記無線ネットワークに送信されるランクインジケータフィードバック値に基づく
ことを特徴とする請求項１８に記載の移動局。
【請求項２０】
前記ＰＤＳＣＨ領域でＤＭ−ＲＳリソース要素の数及び位置は、ランクインジケータフィードバック値を包含するＰＵＣＣＨ報告を通じて前記基地局に最も直近に送信されるランクインジケータフィードバック値に基づく
ことを特徴とする請求項１８に記載の移動局。
【請求項２１】
前記ＰＤＳＣＨ領域でＤＭ−ＲＳリソース要素の数及び位置は、ＰＵＳＣＨ報告を通じて前記ＣＱＩ、ＰＭＩ、変調方式、及び送信ブロックサイズのうち少なくとも一つと一緒に前記基地局に送信されるランクインジケータに基づく
ことを特徴とする請求項１８に記載の移動局。
【請求項２２】
複数の基地局を含む無線ネットワークと通信する移動局で使用する方法であって、
前記移動局は、第１の基地局から伝送されるＯＦＤＭシンボルのダウンリンクサブフレームを受信するステップと、
前記受信したダウンリンクサブフレームがデフォルトＳＦタイプであると仮定するステップと、
前記デフォルトＳＦタイプに従って前記ＣＱＩ、ＰＭＩ、変調方式、及び送信ブロックサイズのうち少なくとも一つを決定するために前記受信したダウンリンクサブフレームを使用するステップと、を有し、
前記ダウンリンクサブフレームの各々は複数のリソースブロックを包含し、ダウンリンクサブフレームのリソースブロックのＰＤＳＣＨ領域が、１）セル特定基準信号（ＣＲＳ）リソース要素及び２）チャンネル状態情報基準信号（ＣＳＩ−ＲＳ）リソース要素のうち少なくとも一つを含むか否かによって決定されるサブフレーム（ＳＦ）タイプと関連する
ことを特徴とする方法。
【請求項２３】
前記デフォルトＳＦタイプは、
前記ＰＤＳＣＨ領域がＣＲＳ要素を包含せず、且つＣＳＩ−ＲＳ要素を包含しない第１のＳＦタイプと、
前記ＰＤＳＣＨ領域がＣＲＳ要素を包含しないが、ＣＳＩ−ＲＳ要素を含む第２のＳＦタイプと、
前記ＰＤＳＣＨ領域がＣＲＳ要素を含むが、ＣＳＩ−ＲＳ要素を包含しない第３のＳＦタイプと、
前記ＰＤＳＣＨ領域がＣＲＳ要素を含み、且つＣＳＩ−ＲＳ要素を含む第４のＳＦタイプのうち一つを含む
ことを特徴とする請求項２２に記載の方法。
【請求項２４】
前記第１の基地局から前記デフォルトＳＦタイプを示す信号を受信するステップをさらに有する
ことを特徴とする請求項２２に記載の方法。
【請求項２５】
前記デフォルトＳＦタイプで、前記ＰＤＳＣＨ領域は、移動局特定復調基準信号（ＤＭ−ＲＳ）リソース要素をさらに含み、前記ＰＤＳＣＨ領域で前記ＤＭ−ＲＳリソース要素の数及び位置は前記移動局に知られており、前記移動局は、前記デフォルトＳＦタイプに従って前記ＣＱＩ、ＰＭＩ、変調方式、及び送信ブロックサイズのうち少なくとも一つを決定するために前記ＤＭ−ＲＳリソース要素を使用する
ことを特徴とする請求項２２に記載の方法。
【請求項２６】
前記ＰＤＳＣＨ領域で前記ＤＭ−ＲＳリソース要素の数及び位置は、前記移動局によって前記無線ネットワークに送信されるランクインジケータフィードバック値に基づく
ことを特徴とする請求項２５に記載の方法。
【請求項２７】
前記ＰＤＳＣＨ領域でＤＭ−ＲＳリソース要素の数及び位置は、ランクインジケータフィードバック値を包含するＰＵＣＣＨ報告を通じて前記基地局に最も直近に送信されるランクインジケータフィードバック値に基づく
ことを特徴とする請求項２５に記載の方法。
【請求項２８】
前記ＰＤＳＣＨ領域でＤＭ−ＲＳリソース要素の数及び位置は、ＰＵＳＣＨ報告を通じて前記ＣＱＩ、ＰＭＩ、変調方式、及び送信ブロックサイズのうち少なくとも一つと一緒に前記基地局に送信されるランクインジケータに基づく
ことを特徴とする請求項２５に記載の方法。
【発明の詳細な説明】
【技術分野】
【０００１】
本発明は一般的に無線ネットワークに関するもので、特に無線ネットワークにおけるＣＱＩ情報の送信に関する。
【背景技術】
【０００２】
３ＧＰＰ  ＬＴＥ(Long  Term  Evolution)標準は、移動電話ネットワークの第４世代(４Ｇ)実現の最後の段階である。米国の大部分の主要携帯電話業者と一部世界的事業者は、これらのネットワークを２００９年に開始されたＬＴＥに変換する計画を発表した。ＬＴＥは、ＵＭＴＳ(Universal  Mobile  Telecommunications  System)に対して進化(improvement)したセットである。３ＧＰＰ  Ｒｅｌｅａｓｅ８の多くの部分がすべてのＩＰフラット(flat)ネットワーキング構造を含む４Ｇ移動通信技術の採用に集中するはずである。
【０００３】
３ＧＰＰ  ＬＴＥ標準は、ダウンリンク(すなわち、基地局から移動局へ)に対して直交周波数分割多重化(Orthogonal  Frequency  Division  Multiplexing：ＯＦＤＭ)を使用する。ＯＦＤＭは、多くの直交周波数(又はサブキャリア)を通じて伝送する多重キャリア送信技術である。直交サブキャリアは、個別的に変調され、周波数で分離され、それによって相互に干渉しない。これは、高いスペクトル効率とマルチパスの効果に対する抵抗力を提供する。
【０００４】
便宜のために、用語“ｅＮｏｄｅＢ”と“基地局”とを、ここでは、遠隔端末に無線アクセスを提供するネットワークインフラ構成要素を称するのに交互に使用することができる。しかしながら、ネットワークタイプに基づき、“アクセスポイント(access  point)”のような他の公知の用語を基地局(ＢＳ)又はｅＮｏｄｅＢの代りに使用できることは、当該技術分野の通常の知識を持つ者には明らかである。
【０００５】
また、便宜上、ここで、用語“ユーザー装置(user  equipment)”と“移動局”は、移動局が実際移動装置(例えば、携帯電話)であるか否か、あるいは通常の静止装置(stationary  device)(例えば、デスクトップ個人用コンピュータ、自動販売機(vending  machine)など)であるか否かに関係なく、無線で基地局(又はｅＮｏｄｅＢ)にアクセスするすべての遠隔無線装置を指定するために交互に使用することができる。しかしながら、ネットワークタイプに基づき、“加入者局(subscriber  station)”、“遠隔端末機(remote  terminal)”、又は“無線端末機(wireless  terminal)”のように、他の公知の用語をユーザー装置(ＵＥ)又は移動局(ＭＳ)の代わりに使用できることは、当該技術分野における通常の知識を持つ者には理解できることである。
【０００６】
上記のＲＥＦ４では、チャンネル品質インジケータ(Channel  Quality  Indicator：ＣＱＩ)とプリコーディングマトリックスインジケータ(Precoding  Matrix  Indicator：ＰＭＩ)が定義される。ＣＱＩインデックスとこれらの解釈は、＜表１＞（ＲＥＦ４の表７.２.３-１）に与えられ、ここにコピーした。一般的に、移動局(又はユーザー装置)は、無線ネットワークにＣＱＩ、ＰＭＩ、変調方式、及び送信ブロックサイズのうち少なくとも一つを報告することができる。
【０００７】
【表１】
0005645962.tif 000002
【０００８】
時間及び周波数で非制限観測(observation)間隔に基づき、ユーザー装置(又は移動局)は、アップリンクサブフレームｎで報告された各ＣＱＩ値に対して、次の条件を満足する表７.２.３-１の１と１５との間の最高ＣＱＩインデックス(又はＣＱＩインデックス１がこの条件を満足しない場合にはＣＱＩインデックス０)を類推する。ＣＱＩインデックスに対応する変調方式と送信ブロックサイズとの組み合わせを有し、ＣＱＩ基準リソースと称するダウンリンク物理リソースブロックのグループを占める単一ＰＤＳＣＨ送信ブロックは、０.１を超過しない送信ブロック誤り率で受信され得る。
【０００９】
変調方式と送信ブロックサイズとの組み合わせは、次の３つの条件をすべて満たす場合にＣＱＩインデックスに対応する。i)上記組み合わせが関連送信ブロックサイズ表によってＣＱＩ基準リソースでＰＤＳＣＨを通じる送信のためにシグナリングできる場合、ii)変調方式がＣＱＩインデックスにより指示される場合、iii)送信ブロックサイズと変調方式の組み合わせが基準リソースに適用される場合、ＣＱＩインデックスにより指示される符号率に最も近接した符号化率が得られる場合。送信ブロックサイズと変調方式の一つ以上の組み合わせがＣＱＩインデックスにより指示された符号化率に同一に近接した符号化率になると、送信ブロックサイズのうち最も小さい送信ブロックサイズを有する組み合わせのみが関連される。
【００１０】
ＣＱＩ基準リソースにおいて、ＵＥ(又はＭＳ)は、ＣＱＩインデックスを抽出するために次のように仮定する。１)最初に３個のＯＦＤＭシンボルは制御シグナリングにより占有される。２)リソース要素が１次又は２次同期化信号又は物理ブロードキャストチャンネル(ＰＢＣＨ)により使用されない。３)サイクリックプレフィックス(ＣＰ)長さは非ＭＢＳＦＮサブフレームの場合に対しても同一である。４)リダンダンシーバージョン０である。５)(デフォルトモードであり得る)ＵＥ又はＭＳに対して現在構成された送信モードに基づき、物理的ダウンリンク共有チャンネル(ＰＤＳＣＨ)送信方式は、＜表２＞（(ここにコピーされる)表７.２.３-０）により提供される。
【００１１】
【表２】
0005645962.tif 000003
【００１２】
ＣＱＩインデックスを抽出するために、ＵＥ(又はＭＳ)は、リソース要素当たりＰＤＳＣＨエネルギー(ＥＰＲＥ)のセル特定基準信号(ＲＳ)ＥＰＲＥに対する比は、ＲＥＦ３のセクション５.２(ダウンリンク電力割り当て)に与えられると仮定し、ΔＡ値を除き、次のように仮定する。
【００１３】
【数１】
0005645962.tif 000004
【００１４】
すべての変調方式に対して、ＵＥ(又はＭＳ)が４個のセル特定アンテナポートを有する送信モード２、又は４個のセル特定アンテナポートを有する送信モード３で構成され、関連したランクインジケータ(ＲＩ)が１と等しいと、次のようである。
【００１５】
【数２】
0005645962.tif 000005
【００１６】
すべての変調方式とすべての数の階層に対して、違うようになる(otherwise)。
【００１７】
シフトΔoffsetは、上位階層シグナリングによって構成されるパラメータｎｏｍＰＤＳＣＨ-ＲＳ-ＥＰＲＥ-Ｏｆｆｓｅｔにより与えられる。
【００１８】
＜プリコーディングマトリックスインジケータ(ＰＭＩ)＞
表７.２.３-０の送信モード４，５，６に対して、プリコーディングフィードバックは、チャンネル依存的コードブックベースのプリコーディングに使用され、ＰＭＩ値を報告する各ＵＥに依存する。送信モード８に対して、ＵＥ/ＭＳは、ＵＥ/ＭＳがＰＭＩ/ＲＩ報告で構成される場合にＰＭＩ値を報告する。ＵＥは、ＲＥＦ３のセクション７.２.１及び７.２.２に説明されたフィードバックモードに基づいてＰＭＩを報告する。
【００１９】
各ＰＭＩ値は、ＲＥＦ３の表６.３.４.２.３-１又は表６.３.４.２.３-２に与えられたコードブックインデックスに次のように対応する。１)２個のアンテナポート{０，１}と関連したランク指示(ＲＩ)値１に対して、ＰＭＩ値ｎ{０，１，２，３}は、ＲＥＦ３の表６.３.４.２.３-１に与えられたコードブックインデックスｎに対応する。２)２個のアンテナポート{０，１}と関連したＲＩ値２に対して、ＰＭＩ値ｎ{０，１}はＲＥＦ３の表６.３.４.２.３-１に与えられたコードブックインデックスｎ＋１に対応する。３)４個のアンテナポート{０，１，２，３}に対して、ＰＭＩ値ｎ{０，１，２，…，１５}は、同じ関連ＲＩ値でＲＥＦ３の表６.３.４.２.３-２に与えられたコードブックインデックスｎに対応する。他の送信モードに対して、ＰＭＩ報告は、サポートされない。
【００２０】
ＲＥＦ３のセクション５(電力制御)において、ダウンリンク電力制御は、リソース要素当たりエネルギー(ＥＰＲＥ)を決定する。用語“リソース要素エネルギー”は、ＣＰ挿入以前のエネルギーを意味する。また、用語“リソース要素エネルギー”は、適用される変調方式に対するすべてのコンステレーション(constellation)を通じて取られる平均エネルギーを意味する。アップリンク電力制御は、物理的チャンネルが送信される単一キャリア、周波数分割多重アクセス(Single  Carrier,  Frequency  Division  Multiple  Access)を通じて平均電力を決定する。
【００２１】
ＲＥＦ３のセクション５.２(ダウンリンク電力割り当て)において、ｅＮｏｄｅＢ(又は基地局)がリソース要素当たりダウンリンク送信エネルギーを決定することに留意する。ユーザー装置(ＵＥ)又は移動局(ＭＳ)は、異なるセル特定ＲＳ電力情報が受信されるまでリソース要素当たりダウンリンクセル特定、基準信号エネルギー(ＲＳ  ＥＰＲＥ)がダウンリンクシステム帯域幅にかけて一定で、すべてのサブフレームにかけて一定であると仮定する。
【００２２】
図５は、従来技術の一実施形態による３ＧＰＰ  ＬＴＥシステムのリソースブロック(ＲＢ)を示す。３ＧＰＰのリリース(Release)８で、ダウンリンク(ＤＬ)電力割り当ては、各セル特定アンテナポート(又は、セル特定基準信号(ＲＳ)ポート又はＣＲＳポート)に対する復調のために仮定されるＥＰＲＥマップをＵＥ(又はＭＳ)に表す。図５は、リリース８でリソースブロック(ＲＢ)に対する例示的なＥＰＲＥマップを示す。
【００２３】
図５のリソースブロックは、サブフレームの物理的ダウンリンク共有チャンネル(Physical  Downlink  Shared  Channel：ＰＤＳＣＨ)の一部を表す。水平軸は、時間を表す。垂直軸は、周波数を表す。図５で、各ＯＦＤＭシンボルは、垂直に整列される。各垂直列の四角形は、同一のＯＦＤＭシンボルの一部である相互に異なるサブキャリア周波数を示す。各水平行の四角形は、異なるＯＦＤＭシンボルの時間-周波数リソース要素(ＲＥ)を示す。したがって、各四角形は、情報を送信するために個別に変調される時間-周波数リソース要素(ＲＥ)を示す。
【００２４】
各ＯＦＤＭシンボルは、Ｎ個の順次サブキャリアを含み、ここで、Ｎは、例えば、５１２，１０２４，２０４８などであり得る。上記したように、各サブキャリアは個別的に変調することができる。実際上の理由で、図５には、各ＯＦＤＭシンボルの小さなセグメントのみがリソースブロックに対して示されている。例示的なＲＢは、例示的な一つ(１)のミリセカンドサブフレームのみにわたり、各サブフレームは、２個(２)のスロットを含み、各スロットは持続期間が０.５ミリセカンドである。サブフレームは、1４個の順次ＯＦＤＭシンボルを含み、各スロットは７個の順次ＯＦＤＭシンボルを含む。各スロットで７個のＯＦＤＭシンボルは、Ｓ０，Ｓ１，Ｓ２，Ｓ３，Ｓ４，Ｓ５，Ｓ６で表示される。しかしながら、これは、例示であるだけで、本発明の範囲を制限すると理解してはならない。他の実施形態において、スロットは、持続期間が０.５ミリセカンド超過又は未満であり、サブフレームは1４個のＯＦＤＭシンボルより多いか少ないことを含むことができる。
【００２５】
本実施形態では、リソースブロック(ＲＢ)は、周波数次元で１２個の順次サブキャリアに、時間次元では1４個のＯＦＤＭシンボルにわたる。したがって、ＲＢは、１６８個の時間-周波数リソースを含む。しかしながら、これは、但し例示だけである。他の実施形態において、ＲＢは、１２個以上または以下のサブキャリア及び1４個以上または以下のＯＦＤＭシンボルにわたることができ、それによってＲＢのリソース要素(ＲＥ)の総個数は多様である。多重入力多重出力(ＭＩＭＯ)基地局のような多重アンテナシステムにおいて、ＣＲＳ  Ｐ０，ＣＲＳ  Ｐ１，ＣＲＳ  Ｐ２，ＣＲＳ  Ｐ３で表示されるサブキャリアは、特定アンテナポートに対するセル特定基準信号(例えば、パイロット信号)を示す。したがって、例えば、ＣＲＳ  Ｐ０は、アンテナポート０に対するセル特定基準信号(ＣＲＳ)である。本発明のために、ＣＲＳ  Ｐ０，ＣＲＳ  Ｐ１、ＣＲＳ  Ｐ２，ＣＲＳ  Ｐ３(すなわち、アンテナポート)の各々に対するＥＰＲＥは値Ｐであると仮定する。
【００２６】
図５でデータＥＰＲＥ値は、データＥＰＲＥが位置したＯＦＤＭシンボルのタイプに基づいて文字Ａ及びＢで表示される。データリソース要素(ＲＥ)がＣＲＳリソース要素(ＲＥ)を包含しないＯＦＤＭシンボルに位置した場合、ＥＰＲＥは値Ａで示す。例として、図５の偶数番目のスロットのＯＦＤＭシンボルＳ３は、ＣＲＳ  ＲＥを包含しないため、ＯＦＤＭシンボルＳ３のデータＲＥは、各々Ａで表示される。データＲＥがＣＲＳ ＲＥを含むＯＦＤＭシンボルに位置した場合、ＥＰＲＥは値Ｂで表示する。例として、図５の偶数番目のスロットのＯＦＤＭシンボルＳ４はＣＲＳ ＲＥを含み、それによってＯＦＤＭシンボルＳ４の各データＲＥはＢで表示される。
【００２７】
リリース８基地局(又はｅＮｏｄｅＢ)は、ＵＥ(又はＭＳ)と関連したＥＰＲＥマップをＵＥに表すためにＵＥに２個のセル特定パラメータと１個のＵＥ特定パラメータを含む３個のパラメータをシグナリングする。２個のセル特定パラメータは、ＣＲＳ値、Ｐ及びΔＢ/ΔＡ＝Ｂ/Ａであり、ここでΔＡ＝Ａ/Ｐ及びΔＢ＝Ｂ/Ｐである。１個のＵＥ特定パラメータは、Ａ対Ｐの電力比、又はΔＡ＝Ａ/Ｐである。ｅＮｏｄｅＢからこれら３個のパラメータを用いて、ＵＥは、図５のＥＰＲＥマップを決定することができる。
【００２８】
＜ＤＭ-ＲＳパターン＞
復調基準信号(ＤＭ-ＲＳ)は、専用ＲＳ(ＤＲＳ)又はＵＥ特定ＲＳ(ＵＥ-ＲＳ)と呼ばれる。ＤＲＳは、基地局(又はｅＮｏｄｅＢ)により送信され、ＵＥによる復調に使用される。データストリーム(又は階層)のためのＤＲＳは、データストリームをプリコーディングするために使用される同一のプリコーディングベクトルでプリコーディングされる。
【００２９】
図６乃至図８は、従来技術の実施形態によるリソースブロックにおける２個のＤＲＳパターンと４個のＤＲＳパターンを示す。図６のリソースブロック(ＲＢ)５００Ａは、２階層送信までサポートできるパイロット信号パターンに対するランク-２ＤＲＳパターンＡを表す。図７のリソースブロック(ＲＢ)５００Ｂは、最大２階層送信までサポート可能なパイロット信号パターンに対するランク-２ＤＲＳパターンＢを示す。２個の階層に対する基準信号は、２個の隣接したＤＲＳリソース要素の一対内で符号分割多重化される。したがって、図６で、ＤＲＳ  Ｐ７，８で表示される２個の隣接したリソース要素の各インスタンスは、アンテナポート７及びアンテナポート８に対する符号分割多重化されたＤＲＳ  ＲＥを示す。同様に、図７で、ＤＲＳ  Ｐ９，１０で表示される２個の隣接したリソース要素の各インスタンスは、アンテナポート９及びアンテナポート１０に対する符号分割多重化されたＤＲＳ  ＲＥを示す。
【００３０】
図８のリソースブロック５００Ｃは、最大４階層送信までサポートするＤＲＳパターンを表し、ＤＲＳリソース要素は、２個のグループに分割される。ＤＲＳ  ＲＥの一つのグループは、(階層０及び１のための)アンテナポート７及び８に対する符号分割多重化された専用基準信号(ＤＲＳ)を伝送する。ＤＲＳ  ＲＥの他のグループは、(階層２及び３のための)アンテナポート９及び１０に対する符号分割多重化された専用基準信号(ＤＲＳ)を伝送する。
【００３１】
図９及び図１０は、従来技術の実施形態によるリソースブロックのＤＲＳ符号分割多重化に基づいた８個のＤＲＳパターンを示す。図９及び図１０で、一部ＲＥは、８個のＤＲＳの中から多数のＤＲＳを搬送するために使用されることを表すためにアルファベット文字Ｇ，Ｈ，Ｉ，Ｊ，Ｌ，又はＫのうちいずれか一つで表示される。
【００３２】
図９のリソースブロック(ＲＢ)６００Ａはランク-８パターンＡで表示され、これは、同一のアルファベットラベルを有する２個の時間隣接ＲＥにわたった拡散因子２符号分割多重化(ＣＭＤ)に基づく。図１０のリソースブロック(ＲＢ)６００Ｂは、ランク-８パターンＢを表し、これは、同一のアルファベットラベルを有する２個の時間隣接ＲＥの２個のグループにわたった拡散因子４符号分割多重化に基づく。
【００３３】
図９及び図１０でランク-８パターンの８個のアンテナポートは、ランク-２及びランク-４パターンとランク-８パターンを区別するためにアンテナポート１１乃至１８と称する。したがって、図９のランク-８パターンＡに対して、ＤＲＳ  Ｇで表示される２個の隣接リソース要素は、符号分割多重化したＤＲＳ１１，１２を伝送する。ＤＲＳ  Ｈで表示された２個の隣接リソース要素は、符号分割多重化したＤＲＳ１３，１４を伝送する。ＤＲＳ  Ｉで表示された２個の隣接リソース要素は、符号分割多重化したＤＲＳ１５，１６を伝送する。ＤＲＳ  Ｊで表示された２個の隣接リソース要素は、符号分割多重化したＤＲＳ１７，１８を伝送する。
【００３４】
一方、図１０のランク-８パターンＢに対して、ＤＲＳ  Ｋで表示された２個の隣接リソース要素は、符号分割多重化したＤＲＳ１１，１２，１３，１４を伝送する。同様に、ＤＲＳ  Ｌで表示される２個の隣接リソース要素は、符号分割多重化したＤＲＳ１５，１６，１７，１８を伝送する。
【００３５】
＜制御シグナリング＞
一般的に、２つのタイプのシグナリング、すなわち上位階層シグナリング及び物理階層シグナリングがある。上位階層シグナリングは、放送シグナリングとＲＲＣシグナリングを含み、これは、半静的(semi-static)シグナリングであり得る。放送シグナリングは、ＵＥがセル特定情報をわかるようにする反面、ＲＲＣシグナリングはＵＥがＵＥ特定情報をわかるようにする。
【００３６】
物理階層シグナリングは、動的シグナリングを含み、ここで、動的シグナリングは、ＢＳ又はｅＮｏｄｅＢがＭＳ(又はＵＥ)に信号を送信しようとするサブフレームで物理ダウンリンク制御チャンネル(ＰＤＣＣＨ)で起こることができる。このようなタイプの動的シグナリングの場合、ダウンリンク制御情報(ＤＣＩ)フォーマットを定義することができ、ＤＣＩはＰＤＣＣＨを介して送信される。
【００３７】
２０１０年１０月６日に出願された米国特許出願１２/８９９,３６２“無線通信システムにおけるマルチユーザーＭＩＭＯ送信のための方法及び装置”には、ランク８までサポートするＬＴＥリソース１０ダウンリンク(ＤＬ)に対するＤＣＩフォーマットが開示されている。ＤＣＩフォーマット２Ｃは、ＤＣＩフォーマット３に基づく。米国特許出願１２/８９９,３６２は、本願に全く説明されたように組み込まれる。
【００３８】
送信ブロック(ＴＢ)は、上位階層から伝送されるビットストリームである。物理階層で、ＴＢは、符号語(codeword：ＣＷ)にマッピングされる。リリース８ＬＴＥにおいて、２個のＴＢまで(したがって、２個のＣＷまで)サブフレームの時間-周波数リソースのセットでＵＥにスケジューリングできる。
【００３９】
＜ＣＳＩ-ＲＳ送信＞
２０１０年２月１９日に出願された米国特許出願１２/７０９，３９９“マルチストリーム送信のパイロット信号マッピング方法及びシステム”には、たびたびチャンネル品質情報ＲＳ(又はＣＳＩ-ＲＳ)と呼ばれるチャンネル状態情報(ＣＳＩ)基準信号のマッピング方法が開示されている。米国特許出願１２/７０９，３９９は、本願に全く説明されたように組み込まれる。
【００４０】
チャンネル状態情報基準信号(ＣＳＩ-ＲＳ)マッピングパターンは、２個のスロット(又は一つのサブフレーム)にわたった一つのリソースブロック(ＲＢ)でリソース要素(ＲＥ)のセットとして定義され、このパターンは、システム帯域幅のＲＢのセット又はサブセットのすべてのＲＢで反復される。ＣＳＩ-ＲＳリソース要素は、一つのサブフレームでＲＢの一つのスロットのみに、または両スロットにあり得る。多重送信(Ｔｘ)アンテナポートチャンネルに対して、ＣＳＩ-ＲＳマッピングパターンは、受信器側でチャンネル状態情報を推定するために提供される。ＣＳＩは、チャンネル品質情報(ＣＱＩ)、ランク情報(ＲＩ)、プリコーディングマトリックス情報(ＰＭＩ)、チャンネル方向情報(ＣＤＩ)などを含むことができる。
【００４１】
しかしながら、ＣＳＩサブフレーム(すなわち、ＣＳＩ-ＲＳが送信されるサブフレーム)は、周期的に(例えば、５サブフレームごとに)又は非周期的に送信される。図１１は、無線フレームでサブフレームのＣＳＩ-ＲＳマッピングの一実施形態を示す。図１１には、ＣＳＩ-ＲＳリソース要素とＣＲＳリソース要素がＰＤＳＣＨ領域に割り当てられたか否かによって、４つのサブフレームタイプが存在する。例えば、タイプＡのサブフレーム(ＳＦ)は、ＣＳＩ-ＲＳを含まないが、ＰＤＳＣＨ領域にＣＲＳを含む。サブフレーム０(ＳＦ０)、サブフレーム１(ＳＦ１)、サブフレーム３(ＳＦ３)、サブフレーム５(ＳＦ５)、サブフレーム８(ＳＦ８)、及びサブフレーム９(ＳＦ９)は、タイプＡサブフレームである。
【００４２】
ユーザー装置は、ＣＱＩ、ＰＭＩ、変調方式、及び送信ブロック(ＴＢ)サイズのうち少なくとも一つを決定して無線ネットワークに報告するために、(他の中から)ＣＳＩ-ＲＳリソース要素とＣＲＳリソース要素を使用する。与えられたネットワークで、すべての４つのサブフレームタイプが存在しないことがある。したがって、ＣＳＩ-ＲＳ及びＣＲＳリソース要素は、特定サブフレーム(ＳＦ)タイプに存在しないこともある。したがって、フィードバックデータ(すなわち、ＣＱＩ、ＰＭＩ、変調方式、ＴＢサイズ)の解釈は、ＭＳ/ＵＥが受信するサブフレームのタイプに基づく。
【００４３】
しかしながら、従来技術は、ＣＱＩ、ＰＭＩ、及び他のフィードバックパラメータを決定する場合、サブフレーム(ＳＦ)タイプを考慮する移動局(又はＵＥ)を提供しない。また、従来技術は、フィードバックパラメータを決定する場合に、ＭＳ/ＵＥにより仮定されるＳＦタイプに基づいてフィードバックパラメータを解釈する基地局を提供しない。したがって、フィードバックパラメータの決定及び解釈にＳＦタイプを考慮する向上した装置及び方法が必要である。
【００４４】
次の先行技術の参照文献は、本発明の開示に全く示したように組み込まれる。
【先行技術文献】
【非特許文献】
【００４５】
【非特許文献１】3GPP TS 36.211,v.8.8.0(2009-09),“3rd Generation Partnership Project; Technical Specification Group Radio Access Network;  Evolved Universal Terrestrial Radio Access(E-UTRA);Physical Channels And Modulation(Release8)”，2009(以下、“ＲＥＦ１”)
【非特許文献２】3GPP TS 36.212,v.8.8.0(2009-12),“3rd Generation Partnership Project; Technical Specification Group Radio Access Network;  Evolved Universal Terrestrial Radio Access(E-UTRA);Multiplexing And Channel Coding(Release8)”，2009(以下、“ＲＥＦ２”)
【非特許文献３】3GPP TS 36.212,v.8.8.0(2009-09),“3rd Generation Partnership Project; Technical Specification Group Radio Access Network;  Evolved Universal Terrestrial Radio Access(E-UTRA);Physical Layer Procedures(Release8)”，2009(以下、“ＲＥＦ３”)
【非特許文献４】3GPP TSG-RAN WG1 Meeting #59,Document No.R1-095130、“CR36.213 Introduction Of Enhanced Dual Layer Transmission”,November 2009(以下、“ＲＥＦ４”)
【発明の概要】
【発明が解決しようとする課題】
【００４６】
したがって、上記した従来技術の問題点を解決するために、本発明の目的は、複数の移動局と通信できる無線ネットワークで使用するための基地局を提供することにある。
【００４７】
本発明の他の目的は、複数の基地局を含む無線ネットワークで使用するための移動局を提供することにある。
【課題を解決するための手段】
【００４８】
上記のような目的を達成するために、本発明の一態様によれば、複数の移動局と通信する無線ネットワークにおける使用のために、第１の移動局にＯＦＤＭシンボルのダウンリンクサブフレームを送信する基地局が提供される。各ダウンリンクサブフレームは、複数のリソースブロックを含み、ダウンリンクサブフレームのリソースブロックのＰＤＳＣＨ領域が、１)セル特定基準信号(ＣＲＳ)リソース要素、及び２)チャンネル状態情報基準信号(ＣＳＩ-ＲＳ)リソース要素のうち少なくとも一つを含むか否かによって決定されるサブフレーム(ＳＦ)タイプに関連され、基地局は、ＣＱＩ、ＰＭＩ、変調方式、及び送信ブロックサイズのうち少なくとも一つを第１の移動局から受信し、ＣＱＩ、ＰＭＩ、変調方式、及び送信ブロックサイズのうち少なくとも一つを決定するために第１の移動局により使用されるデフォルトＳＦタイプに従って受信したＣＱＩ、ＰＭＩ、変調方式、及び送信ブロックサイズのうち少なくとも一つを解釈することを特徴とする。
【００４９】
本発明の他の態様によれば、複数の基地局を含む無線ネットワークで使用される移動局が提供しうる。移動局は、第１の移動局からＯＦＤＭシンボルのダウンリンクサブフレームを受信し、各ダウンリンクサブフレームは複数のリソースブロックを包含し、ダウンリンクサブフレームのリソースブロックのＰＤＳＣＨ領域が、１)セル特定基準信号(ＣＲＳ)リソース要素及び２)チャンネル状態情報基準信号(ＣＳＩ-ＲＳ)リソース要素のうち少なくとも一つを含むか否かによって決定されるサブフレーム(ＳＦ)タイプと関連し、移動局は、受信したダウンリンクサブフレームがデフォルトＳＦタイプであると仮定し、デフォルトＳＦタイプに従ってＣＱＩ、ＰＭＩ、変調方式、及び送信ブロックサイズのうち少なくとも一つを決定するために受信したダウンリンクサブフレームを使用することを特徴とする。
【発明の効果】
【００５０】
本発明は、フィードバックパラメータの決定及び解釈にＳＦタイプを考慮する装置及び方法を向上させる。
本発明及びそれによる利点のより完全な理解のために、添付された図面と結合によって後述する詳細な説明を参照して、同一の部分には同一の参照番号で表す。
【図面の簡単な説明】
【００５１】
【図１】本発明の原理によるチャンネル状態情報(ＣＳＩ)を送信する無線ネットワークの一例を示す図である。
【図２】本発明の一実施形態による例示的な基地局(又はｅＮｏｄｅＢ)の上位階層を示す図である。
【図３】本発明の一実施形態による例示的な基地局(又はｅＮｏｄｅＢ)の上位階層を示す図である。
【図４】本発明の一実施形態によるチャンネル状態情報を受信する移動局(又はユーザー装置)を示す図である。
【図５】従来行技術の一実施形態による３ＧＰＰ  ＬＴＥシステムのリソースブロック(ＲＢ)を示す図である。
【図６】従来技術の一実施形態によるリソースブロックの２個のＤＲＳパターンと４個のＤＲＳパターンを示す図である。
【図７】従来技術の一実施形態によるリソースブロックの２個のＤＲＳパターンと４個のＤＲＳパターンを示す図である。
【図８】従来技術の一実施形態によるリソースブロックの２個のＤＲＳパターンと４個のＤＲＳパターンを示す図である。
【図９】従来技術の実施形態によるリソースブロックのＤＲＳ符号分割多重化に基づいた８個のＤＲＳパターンを示す図である。
【図１０】従来技術の実施形態によるリソースブロックのＤＲＳ符号分割多重化に基づいた８個のＤＲＳパターンを示す図である。
【図１１】無線フレームでサブフレームのＣＳＩ-ＲＳマッピングの一例を示す図である。
【図１２】本発明の一実施形態による４個のセル特定アンテナポートに対するＥＰＲＥマップの４つのタイプを示す図である。
【図１３】本発明の一実施形態による４個のセル特定アンテナポートに対するＥＰＲＥマップの４つのタイプを示す図である。
【図１４】本発明の一実施形態による４個のセル特定アンテナポートに対するＥＰＲＥマップの４つのタイプを示す図である。
【図１５】本発明の一実施形態による４個のセル特定アンテナポートに対するＥＰＲＥマップの４つのタイプを示す図である。
【図１６】本発明の一実施形態による２個のセル特定アンテナポートに対するＥＰＲＥマップの４つのタイプを示す図である。
【図１７】本発明の一実施形態による２個のセル特定アンテナポートに対するＥＰＲＥマップの４つのタイプを示す図である。
【図１８】本発明の一実施形態による２個のセル特定アンテナポートに対するＥＰＲＥマップの４つのタイプを示す図である。
【図１９】本発明の一実施形態による２個のセル特定アンテナポートに対するＥＰＲＥマップの４つのタイプを示す図である。
【図２０】本発明の一実施形態によるランク依存的ＥＰＲＥマッピングの一例を示す図である。
【図２１】本発明の一実施形態によるランク依存的ＥＰＲＥマッピングの一例を示す図である。
【図２２】リリース９で３ＧＰＰ  ＬＴＥシステムに対するＤＭ-ＲＳパターンを示す図である。
【発明を実施するための形態】
【００５２】
以下、本発明の望ましい実施形態を添付の図面を参照して詳細に説明する。
【００５３】
本発明の詳細な説明に先立ち、本明細書の全般で使われる用語や語句を定義する。「〜含む(include)」、「〜からなる(comprise)」だけでなく、それらの派生語は限定のない包含を意味する。「または(or)」は及び/または(and/or)を含み、「〜に関連する(associated with)」、「それに関連する(associated therewith)」及びそれらの派生語句は、包含(include)、含まれる(be included within)、受容される(be contained within)、連結(connect to or with)、接続(couple to or with)、通信(be communication with)、協力(cooperate with)、相互配置(interleave)、並置(juxtapose)、近接(be approximate to)、結合(be bound to or with)、所有(have)、性質の所有(have a property of)、または類以(the like)を意味し、「制御器(controller)」は少なくとも一つの動作を制御する装置、システム、またはその部分を意味し、そのような装置は、ハードウェア、ファームウェア、ソフトウェア、またはこれらのうちの少なくとも二つの組み合わせで具現することができる。特定の制御器に関連する機能は、集中しているか、あるいは局地的にまたは遠距離に分散されることもある。特定の用語及び語句は本明細書の全体で使用されるが、当業者は多くの場合に上述したような定義が適用されることを理解しなければならない。
【００５４】
後述する図１乃至図２２、及び本願に開示される本発明の原理を説明するのに使用される多様な実施形態は但し例示だけであり、どんな方法でも本発明の範囲を制限することと解析されてはならない。本発明の原理が適切に配列された無線ネットワークで実現されることは、当該技術分野で通常の知識を持つ者には明らかである。
【００５５】
図１は、本発明の原理によってチャンネル状態情報(ＣＳＩ)を送信する無線ネットワーク１００の一例を示す。本実施形態において、無線ネットワーク１００は、基地局(ＢＳ)１０１，１０２，１０３を含む。基地局１０１は、基地局１０２及び１０３と通信する。また、基地局１０１は、インターネット、非公開(proprietary)インターネットプロトコル(ＩＰ)ネットワーク、又は他のデータネットワークのようなＩＰネットワーク１３０と通信する。基地局１０１〜１０３は、あるいはｅＮｏｄｅＢ１０１〜１０３とも呼ばれる。
【００５６】
基地局１０２は、基地局１０２のカバレッジ領域１２０内の第１の複数の移動局にＩＰネットワーク１３０(すなわち、インターネット)に対する無線広帯域アクセスを提供する。ＢＳ１０２は、ＩＰネットワーク１３０に対する有線バックホール(wireline  backhaul)を有する。第１の複数の移動局は、移動局(ＭＳ)１１１，１１２，１１３，１１４，１１５，１１６を含む。一実施形態では、ＭＳ１１１は、小企業(ＳＢ)に位置し、ＭＳ(１１２)は企業(Ｅ)に位置し、ＭＳ１１３はＷｉＦｉホットスポット(ＨＳ)に位置し、ＭＳ１１４は第１の居住地(Ｒ)に位置し、ＭＳ１１５は第２の居住地に位置することができ、ＭＳ１１６は移動(Ｍ)装置であり得る。移動局１１１〜１１６は、ユーザー装置１１１〜１１６とも呼ばれる。
【００５７】
基地局１０３は、基地局１０３のカバレッジ領域１２５内の第２の複数の移動局にＩＰネットワーク１３０に対する無線広帯域アクセスを提供する。ＢＳ１０３は、ＩＰネットワーク１３０に対する無線バックホールを有する。第２の複数の移動局は、移動局１１５，１１６を含む。
【００５８】
他の実施形態では、無線ネットワーク１００は、より多いまたは少ない基地局を含むことができる。移動局１１５と移動局１１６は、カバレッジ領域１２０とカバレッジ領域１２５両方のエッジにあることに留意する。移動局１１５と移動局１１６は、移動局１０２と移動局１０３両方と通信し、当業者に知られているように、ハンドオフモードで動作するといわれていることに留意する。
【００５９】
一実施形態において、基地局１０１〜１０３は、提案された３ＧＰＰ  ＬＴＥ標準、又は同等な改善された３Ｇ又は４Ｇ標準に従って、ＯＦＤＭ(Orthogonal Frequency Division Multiplexing)プロトコルを用いる少なくともダウンリンクで相互に、そして移動局１１１〜１１６と通信できる。
【００６０】
点線は例示及び説明のために概略的な円で示すカバレッジ領域１２０及び１２５の概略的な範囲を示す。基地局に関連したカバレッジ領域、例えば、カバレッジ領域１２０，１２５は、基地局の構成及び自然及び人工障害物と関連した無線環境の変化に基づき、不規則的な形態を含む他の形態を有することができることを明確に理解すべきである。
【００６１】
また、基地局と関連したカバレッジ領域は、時間に従って一定でなく、基地局及び/又は移動局の変化する送信電力レベル、天気条件及び他の要因に基づいて動的(拡張、縮小、又は形態変更)である可能性がある。一実施形態で、基地局のカバレッジ領域、例えば、基地局１０２，１０３のカバレッジ領域１２０，１２５の半径は、基地局から２キロメートル以下から約５０キロメートルの範囲で拡張され得る。
【００６２】
当該技術分野で公知のように、基地局は、カバレッジ領域内で複数のセクタをサポートするために方向性アンテナを採用できる。図１では、基地局１０２，１０３は、各々カバレッジ領域１２０，１２５のおよそ中央に示されている。他の実施形態において、方向性アンテナの利用は、基地局をカバレッジ領域のエッジ付近、例えば、円錐(cone)又は梨(pear)形態のカバレッジ領域のエッジ近くに基地局を位置させることができる。
【００６３】
図２及び図３は、本発明の一実施形態による基地局(ｅＮｏｄｅＢ)１０２の上位レベルを示す。ＢＳ１０２は、送信経路回路２００と受信経路回路２５０を含む。送信経路回路２００は、チャンネル符号化及び変調ブロック２０５、直列-並列(Ｓ-to-Ｐ)ブロック２１０、サイズＮの逆高速フーリエ変換(ＩＦＦＴ)ブロック２１５、並列-直列(Ｐ-to-Ｓ)ブロック２２０、追加サイクリックプレフィックスブロック２２５、及びアップコンバータ(ＵＣ)２３０を含む。受信経路回路２５０は、ダウンコンバータ(ＤＣ)２５５、除去サイクリックプレフィックス部２６０、直列-並列(Ｓ-to-Ｐ)ブロック２６５、サイズＮの高速フーリエ変換(ＦＦＴ)ブロック２７０、並列-直列(Ｐ-to-Ｓ)ブロック２７５、及びチャンネル復号化及び復調ブロック２８０を含む。
【００６４】
図２及び図３の構成要素のうち少なくとも一部は、ソフトウェア的に実現できる一方、他の構成要素は構成可能なハードウェア又はソフトウェアと構成可能なハードウェアの混合で実現できる。特に、本発明で説明されるＦＦＴブロックとＩＦＦＴブロックは、構成可能なソフトウェアアルゴリズムとして実現することができる。ここで、サイズＮの値は、実現に従って変更され得る。
【００６５】
直列-並列ブロック２１０は、直列ＱＡＭシンボルを並列データに変換(すなわち、逆多重化)してＮ個の並列シンボルストリームを生成する。ここで、Ｎは、送信経路回路２００と受信経路回路２５０で使用されるＩＦＦＴ/ＦＦＴサイズである。サイズＮのＩＦＦＴブロック２１５は、Ｎ個の並列シンボルストリームにＩＦＦＴ動作を遂行して時間-ドメイン出力信号を生成する。並列-直列ブロック２２０は、サイズＮのＩＦＦＴブロック２１５から並列時間ドメイン出力シンボルを変換して(すなわち、多重化して)直列時間ドメイン信号を生成する。その後、追加サイクリックプレフィックスブロック２２５は、サイクリックプレフィックスを時間ドメイン信号に挿入する。
【００６６】
最後に、アップコンバータ２３０は、追加サイクリックプレフィックスブロック２２５の出力を、無線チャンネルを通じて送信するためのＲＦ周波数に変調(すなわち、アップコンバート)する。また、信号は、ＲＦ周波数への変換以前に基底帯域でフィルタリングされ得る。一実施形態において、送信経路回路２００により送信される時間ドメイン出力は、複数のアンテナを介してＢＳ１０２の範囲内の移動局に送信され得る。
【００６７】
受信経路回路２５０は、移動局１１１〜１１６により送信された入力(incoming)ダウンリンク信号を受信する。ダウンコンバータ２５５は、受信された信号を基底帯域周波数にダウンコンバートし、除去サイクリックプレフィックスブロック２６０は、サイクリックプレフィックスを除去して直列時間ドメイン基底帯域信号を生成する。直列-並列ブロック２６５は、時間ドメイン基底帯域信号を並列時間ドメイン信号に変換する。サイズＮのＦＦＴブロック２７０は、ＦＦＴアルゴリズムを遂行し、Ｎ個の並列周波数ドメイン信号を生成する。並列-直列ブロック２７５は、並列周波数ドメイン信号を変調されたデータシンボルのシーケンスに変換する。チャンネル復号化及び復調ブロック２８０は、データシンボルを復調及び復号化して、移動局１１１〜１１６により送信された元のデータストリームを復元する。
【００６８】
本発明の原理によって、３ＧＰＰ  ＬＴＥの新規リリースで、ＢＳ１０２は、ＣＳＩ-ＲＳリソース要素とＣＲＳリソース要素が物理データ共有チャンネル(ＰＤＳＣＨ)領域で送信されるか否かに基づき、４つのタイプのダウンリンクサブフレームを送信する。チャンネル測定(例えば、ＣＱＩ/ＰＭＩ)のために、ＣＳＩ-ＲＳのみに依存する新規送信モード(送信モードＡと称する)が定義される。４つのタイプのサブフレームが存在するので、ＣＱＩ値は、ＭＳ又はＵＥがＣＱＩ値を計算するために仮定するサブフレームのタイプに基づく。ＢＳ/ＵＥがＣＱＩを計算する場合、ＢＳ又はｅＮｏｄｅＢがＢＳ/ＵＥにより仮定されるサブフレームのタイプを知らないと、ＢＳ(又はｅＮｏｄｅＢ)は、ＣＱＩ値の実際意味を知らず、適切なリンク適応を遂行することができない。したがって、ＣＱＩ基準リソース(すなわち、ＣＱＩ/ＰＭＩ計算のためにＵＥで仮定するリソースタイプ)は、ｅＮｏｄｅＢで誤りを避け、リンク適応を助けるために新規送信モードＡに対して定義される。
【００６９】
送信モードＡの第１の例示定義は、下記の＜表３＞に示されている。＜表３＞で、ＰＤＣＣＨとＰＤＳＣＨは、スクランブリングシーケンスＣ-ＲＮＴＩにより構成される。
【００７０】
【表３】
0005645962.tif 000006
【００７１】
送信モードＡの第２の例示定義は、下記の＜表４＞に示されている。＜表４＞で、ＰＤＣＣＨとＰＤＳＣＨは、スクランブリングシーケンスＳＰＳ  Ｃ-ＲＮＴＩにより構成される。
【００７２】
【表４】
0005645962.tif 000007
【００７３】
図４は、本発明の実施形態によるチャンネル状態情報(ＣＳＩ)を受信する移動局(又はユーザー装置)１１６を示す。ＭＳ１１６は、送受信器ブロック３１０、メッセージプロセッサ３２０、及びＣＱＩ/ＰＭＩ計算ブロック３３０を含む。ルーチン動作中に、メッセージプロセッサ３２０は、例えば、ＢＳ１０２への送信及びＢＳ１０２からの受信のために送受信器ブロック３１０を利用する。送受信器ブロック３１０は、ＢＳ１０２で送信経路回路２００及び受信経路回路２５０の構成要素に類似し、さらに詳細に説明される必要がない回路構成要素を含む。
【００７４】
ＣＱＩ/ＰＭＩ計算ブロック３３０は、送受信器ブロック３１０からダウンリンク信号測定を受信し、ＢＳ１０２とＭＳ１１６との間のダウンリンクのために、他の信号パラメータの中からＣＱＩ値とＰＭＩ値を決定するように動作できる。メッセージプロセッサ３２０は、ＣＱＩ/ＰＭＩ計算ブロック３３０から選択されたＣＱＩ値、ＰＭＩ値、及び他の選択された信号パラメータを受信し、ＢＳ１０２へのアップリンクで制御メッセージ及びデータメッセージを送信するように動作できる。例として、メッセージプロセッサ３２０は、ＣＱＩ値とＰＭＩ値を報告するためにＢＳ１０２にフィードバックメッセージを送信するように動作できる。
【００７５】
図１２〜図１５は、本発明の一実施形態による４個のセル特定アンテナポートに対する４つのタイプのＥＰＲＥマップを示す。リソースブロック８００Ａ〜８００Ｄにおいて、“ＣＲＳ  Ｐ０”、“ＣＲＳ  Ｐ１”、“ＣＲＳ  Ｐ２”、及び“ＣＲＳ  Ｐ３”で表示されるリソース要素は、４個のアンテナポートＰ０〜Ｐ３に対するセル特定基準信号(ＣＲＳ)のためのものである。“ＣＳＩ-ＲＳ”で表示されるリソース要素は、チャンネル状態情報基準信号に対するリソース要素である。“ＤＭ-ＲＳ”で表示されるリソース要素は、復調基準信号のためのリソース要素である。
【００７６】
図１２及び１４において、偶数番目のスロットで最初の３個のＯＦＤＭシンボルＳ０，Ｓ１，Ｓ２は制御シグナリングのために使用され、それによってＰＤＳＣＨ領域は残りの１１個のＯＦＤＭシンボルにわたる。図１３及び図１５において、偶数番目のスロットで最初の２個のＯＦＤＭシンボルは制御シグナリングに使用され、それによってＰＤＳＣＨ領域は、残りの１２個のＯＦＤＭシンボルにわたる。リソースブロック(ＲＢ)８００Ａは、ＣＳＩ-ＲＳリソース要素及びＣＲＳリソース要素すべてを有する。リソースブロック(ＲＢ)８００Ｂは、ＣＳＩ-ＲＳリソース要素を有するが、ＣＲＳしロース要素は有していない。リソースブロック(ＲＢ)８００Ｃは、ＣＳＩ-ＲＳリソース要素なしに、ＣＲＳリソース要素を有する。リソースブロック(ＲＢ)８００Ｄは、ＣＳＩ-ＲＳリソース要素もＣＲＳリソース要素も有していない。
【００７７】
図１２〜図１５において、７個の異なるＥＰＲＥ値が各新規セル特定アンテナポート(又は各ＣＳＩ-ＲＳポート)に対して定義される。これは、ＵＥ特定ＥＰＲＥリソース要素、すなわち１)Ａ−基準信号(ＲＳ)のないＯＦＤＭシンボルのデータＥＰＲＥ、２)Ｂ−セル特定基準信号(ＣＲＳ)を有するＯＦＤＭシンボルのデータＥＰＲＥ、３)Ｃ−チャンネル状態情報基準信号(ＣＳＩ-ＲＳ)を有するＯＦＤＭシンボルのデータＥＰＲＥ、４)Ｄ−復調基準信号(ＤＭ-ＲＳ)を有するＯＦＤＭシンボルのデータＥＰＲＥ、及び５)ＤＭ-ＲＳ−リソース要素内のＤＭ-ＲＳ平均ＥＰＲＥを含む。また、これは、セル特定ＥＰＲＥリソース要素、すなわち１)ＣＲＳ  Ｐ０，ＣＲＳ  Ｐ１，ＣＲＳＰ２，ＣＲＳ  Ｐ３  ＥＰＲＥと、２)ＣＳＩ-ＲＳ  ＥＰＲＥを含む。
【００７８】
本発明のために、次のように仮定する。１)ＣＲＳ  Ｐ０，ＣＲＳ  Ｐ１，ＣＲＳＰ２，ＣＲＳ  Ｐ３(すなわち、アンテナポート)の各々に対するＥＰＲＥは値Ｐである。２)ＤＭ-ＲＳリソース要素の各々に対するＥＰＲＥは値Ｄである。３)ＣＳＩ-ＲＳリソース要素の各々に対するＥＰＲＥは値Ｑである。
【００７９】
ＥＰＲＥマップでこれらＥＰＲＥ値から、ＣＳＩ-ＲＳ  ＥＰＲＥに対するＰＤＳＣＨ  ＥＰＲＥの比は、次のように計算できる。１)ＲＳのないＯＦＤＭシンボルでΔＡ＝Ａ/Ｐ＝ＰＤＳＣＨ  ＥＰＲＥ対ＣＳＩ-ＲＳ  ＥＰＲＥの比、２)ＣＲＳのあるＯＦＤＭシンボルでΔＢ＝Ｂ/Ｐ＝ＰＤＳＣＨ  ＥＰＲＥ対ＣＳＩ-ＲＳ  ＥＰＲＥの比、３)ＣＳＩ-ＲＳのあるＯＦＤＭシンボルでΔＣ＝Ｃ/Ｐ＝ＰＤＳＣＨ  ＥＰＲＥ対ＣＳＩ-ＲＳ  ＥＰＲＥの比、４)ＤＭ-ＲＳのあるＯＦＤＭシンボルでΔＤ＝Ｄ/Ｐ＝ＰＤＳＣＨ  ＥＰＲＥ対ＣＳＩ-ＲＳ  ＥＰＲＥの比。このような比は、セル特定及びＭＳ特定信号の組み合わせを用いて基地局(又はｅＮｏｄｅＢ)から移動局(又はＵＥ)にシグナリングできる。
【００８０】
ＣＲＳのないリソースブロック(ＲＢ)は、ＭＢＳＦＮサブフレームで構成される向上した(又はリリース１０)サブフレームからリリース８ＵＥまでである。向上したＤＬサブフレームでは、ＣＲＳは、制御領域のみで送信される。基地局は、このようなＥＰＲＥに関する情報を伝達するパラメータをセル特定及びＭＳ特定シグナリング方法を通じて各ＭＳにシグナリングする。パラメータを受信すると、ＭＳは、これら４個のＥＰＲＥマップを知るようになる。一部の場合には、Ｄ＝Ａ＝ＤＭ-ＲＳが、真(true)となる。これは、データＥＰＲＥがＤＭ-ＲＳを有するＯＦＤＭシンボルでＣＳＩ-ＲＳポートに対するＤＭ-ＲＳ  ＥＰＲＥと同一であり、ＤＭ-ＲＳを有するＯＦＤＭシンボルでデータＥＰＲＥがＲＳのないＯＦＤＭシンボルでデータＥＰＲＥと同一であることを暗示する。
【００８１】
図１６〜図１９は、本発明の一実施形態による２個のセル特定アンテナポートに対するＥＰＲＥマップの４つのタイプを示す。２個のアンテナポートのみが提供されるので、リソースブロック９００Ａ〜８００Ｄは、２個のアンテナポートＰ０及びＰ１のセル特定基準信号(ＣＲＳ)のための“ＣＲＳ  Ｐ０”及び“ＣＲＳ  Ｐ１”で表示される２個のリソースブロックのみを含む。前述したように、図１２〜図１５で、“ＣＳＩ-ＲＳ”で表示されるリソース要素は、チャンネル状態情報基準信号に対するリソース要素である。“ＤＭ-ＲＳ”で表示されたるリソース要素は、復調基準信号に対するリソース要素である。
【００８２】
本発明の第１の望ましい実施形態によると、ＭＳ/ＵＥは、新規送信モードＡに対するＣＱＩ/ＰＭＩ推定のためのＣＱＩ基準リソースの一部として、図１１に示す４個のタイプのうち、一つの特定サブフレームタイプ(所定のＳＦタイプ又はデフォルトＳＦタイプ)を仮定する。ＭＳ/ＵＥは、各ＣＳＩ-ＲＳポートに対して、ＲＢに対するＥＰＲＥマップは、サブフレームのタイプと関連した図１２〜１５及び図１６〜１９で、ＥＰＲＥマップに従うと仮定する。一実施形態では、ＭＳ/ＵＥは、ＣＱＩ/ＰＭＩ推定のためのＰＤＳＣＨH領域でＣＳＩ-ＲＳがないが、ＣＲＳを有するサブフレームタイプを仮定する。
【００８３】
上述した内容を実現するために、３ＧＰＰ  ＴＳ  Ｎｏ.３６．２１３のセクション７.２.３は修正できるため、推定されたＣＱＩ値が関連される帯域に対応するダウンリンク物理リソースブロックのグループによって周波数領域でＣＱＩ基準リソースが定義される。ダウンリンクサブフレームは、次のような場合に有効であると考慮される。１)ＵＥ対してダウンリンクサブフレームとして構成される場合、２)ＭＢＳＦＮサブフレームでない場合、３)ＤｗＰＴＳの長さが７６８０ＴＳ又はそれ以下である場合にＤｗＰＴＳフィールドを含まない場合、４)ＵＳに対して構成された測定ギャップ(gap)内に含まれない場合、５)ＣＳＩ-ＲＳを含む場合。ＣＱＩ基準リソースに対して有効なダウンリンクサブフレームがないと、ＣＱＩ報告は、アップリンクサブフレームｎで省略される。
【００８４】
他の実施形態において、ＭＳ/ＵＥは、ＣＳＩ-ＲＳと、ＣＱＩ/ＰＭＩ推定のためのＣＲＳとを有していないリソースブロック(ＲＢ)を仮定する。このタイプのサブフレームは、リリース８  ＭＳ/ＵＥのためのマルチキャスト-ブロードキャスト単一周波数ネットワーク(ＭＢＳＦＮ)として現れるが、リリース１０と以後のリリースに対するユニキャスト送信に使用することができる。言い換えれば、ダウンリンクサブフレームがＣＳＩ-ＲＳのない向上した(又はリリース１０)サブフレームである場合、ダウンリンクサブフレームは、ＣＱＩ基準リソースとして有効なことであると考えられる。ＭＳ/ＵＥ仮定の動機(motivation)は、一部他のシステムで、このタイプのＲＢは最も頻繁に発生する。このような場合、ＭＳ/ＵＥは、ＣＲＳを有するサブフレームに対する場合である３個のＯＦＤＭシンボルの代りに、最初の２個のＯＦＤＭシンボルが制御シグナリングによって占有されると仮定する。
【００８５】
本発明の第２の望ましい実施形態において、ＢＳ/ｅＮｏｄｅＢは、ＣＱＩ基準リソースに対して特定のサブフレームタイプ(所定のＳＦタイプ又はデフォルトＳＦタイプ)を表すためにＭＳ/ＵＥにシグナリングする。一例で、状態(state)の番号は、ＣＳＩ-ＲＳのない２個のサブフレームタイプに制限され、シグナリングは、ＭＳ特定又はセル特定であり得る。この例で２つの状態は、下記の＜表５＞に示される。
【００８６】
【表５】
0005645962.tif 000008
【００８７】
２つの状態シグナリングは、上位階層にて１ビットフィールドで伝達することができる。
【００８８】
本発明の第３の望ましい実施形態で、ＭＳ/ＵＥは、ＣＱＩインデックス値を推定するためにデフォルトタイプサブフレームにＤＭ-ＲＳが存在すると仮定する。すなわち、ＣＱＩ基準リソースで、ＤＭ-ＲＳリソース要素の数及び位置は知られており、このような位置がユーザー装置基準信号(ＵＥ-ＲＳ)により占有されると仮定することによって、ＣＱＩインデックスを計算することを考慮するという仮定下にＣＱＩインデックスを計算する。
【００８９】
本発明の第４の望ましい実施形態で、ランク依存的ＤＭ-ＲＳパターンのセットを有するシステムの場合、ＣＱＩインデックスを推定するために仮定するＤＭ-ＲＳリソース要素の数及び位置は、ＣＱＩが条件化したＭＳ/ＵＥでランクフィードバック(ＲＩ)に基づく。ＭＳ/ＵＥは、ＢＳ/ｅＮｏｄｅＢに制御情報を送信するためにアップリンクでＰＵＣＣＨ報告を送信する。ＰＵＣＣＨ報告は、ＣＱＩ情報又はＲＩ情報を両方ともでなく、これらのうち一つを送信できる。したがって、周期的ＰＵＣＣＨ報告の場合に、ＣＱＩ計算及び報告はＲＩ報告を含む最近ＰＵＣＣＨ報告からＲＩ値に条件化される。
【００９０】
ＭＳ/ＵＥは、通常ＢＳ/ｅＮｏｄｅＢにデータ情報を送信するためにアップリンクでＰＵＳＣＨ報告を送信する。しかしながら、ＰＵＳＣＨ報告は、時々ＣＱＩ情報、ＲＩ情報、又はこれら両方ともをデータ情報で制御情報を多重化してＢＳ/ｅＮｏｄｅＢに送信できる。したがって、ＰＵＳＣＨ報告の場合、ＣＱＩ計算及び報告は、同一のＰＵＳＣＨ報告にＣＱＩを伴うＲＩ値に条件化される。
【００９１】
図２０及び図２１は、ＰＤＳＣＨ領域にＣＳＩ-ＲＳのなく、かつＣＲＳのあるサブフレームタイプの場合のためのランク依存的ＥＰＲＥマッピングの一例を示す。送信ランクが２以下であると推定する場合、ＭＳ/ＵＥは、図２１で１２個のリソース要素ＤＭ-ＲＳパターンを仮定する。送信ランクが３以上であると推定する場合、ＭＳ/ＵＥは、図２０で２４個のリソース要素ＤＭ-ＲＳパターンを仮定する。
【００９２】
上述した内容を実現するために、３ＧＰＰ  ＴＳ  Ｎｏ.３６．２１３のセクション７.２.３は、リリース１０又は以後の送信モードに対して修正でき、ＣＱＩ基準リソースで、ＭＳ/ＵＥは、ＣＱＩインデックスを推定するために次のように仮定することができる。１)最初の３個のＯＦＤＭシンボルは制御シグナリングによって占有されること、２)１次又は２次同期化信号又はＰＢＣＨによっていかなるリソース要素が利用されないこと、３)非ＭＢＳＦＮサブフレームのＣＰ長さ、４)リダンダンシーバージョン０、５)ＵＥに対して現在構成される送信モード(デフォルトモードであり得る)に基づいて表７.２.３-０によって与えられるＰＤＳＣＨ送信方式。また、推定されるランクが２以下である場合、アンテナポート７及び８に対するＵＥ特定ＲＳ  ＲＥは、ＵＥ特定ＲＳによって占められる。また、推定されたランクが２より大きい場合、アンテナポート７，８，９，及び１０に対するＵＥ特定ＲＳ  ＲＥは、ＵＥ特定ＲＳによって占められる。
【００９３】
他の実施形態において、ランク依存的ＤＭ-ＲＳパターンのセットを有するシステムの場合、基地局(又はｅＮｏｄｅＢ)は、ＣＱＩインデックスを推定し、あるいはＭＳ/ＵＥ復調のために、又はこれらすべてのために特定ランク依存的ＤＭ-ＲＳパターンを半静的に構成することができる。この場合、特定ＤＭ-ＲＳパターンは、ＣＱＩ計算に対して仮定されるＤＭ-ＲＳリソース要素の数及び位置を決定する。
【００９４】
図２０及び図２１には、ランク依存的ＥＰＲＥマッピングの一例が、ＰＤＳＣＨ領域にＣＳＩ-ＲＳリソース要素のなく、かつＣＲＳリソース要素のあるサブフレームタイプの場合に対して示されている。例えば、ＢＳ(又はｅＮｏｄｅＢ)は、ＣＱＩインデックスを推定するために、図２０でＤＭ-ＲＳパターン(２４個のリソース要素パターン)を仮定するようにＭＳ/ＵＥを構成できる。また、ＢＳ(又はｅＮｏｄｅＢ)は、ＣＱＩインデックスを推定するために、図２１でＤＭ-ＲＳパターン(１２個のリソースパターン)を仮定するようにＭＳ/ＵＥを構成できる。
【００９５】
上記内容を実現するために、３ＧＰＰ  ＴＳ  Ｎｏ.３６.２１３のセクション７.２.３は、リリース１０又は以後の送信モードに対して修正でき、ＣＱＩ基準リソースで、ＵＥは、ＣＱＩインデックスを推定するために次のように仮定する。１)最初の３個のＯＦＤＭシンボルは制御シグナリングによって占められること、２)１次又は２次同期化信号又はＰＢＣＨによりいかなるリソース要素も利用されないこと、３)非ＭＢＳＦＮサブフレームのＣＰ長さ、４)リダンダンシーバージョン０、５)ＵＥに対して現在構成される送信モード(デフォルトモードであり得る)によって表７.２.３-０によって与えられたＰＤＳＣＨ送信方式、及び６)ＵＥ特定ＲＳパターンがシグナリングされる場合、ｅＮＢによってＵＥにシグナリングされるＵＥ特定ＲＳパターンがＵＥ-ＲＳにより占有される。
【００９６】
他の実施形態において、ランク依存的ＤＭ-ＲＳパターンのセットを有する送信モードに対して、一つの特定ＤＭ−ＲＳパターンがＣＱＩ計算に対して仮定できる。例として、２個の異なるＤＭ−ＲＳパターン、ランク４パターン、及びランク２パターンを有する送信モードは、図２０及び図２１に示されている。すると、ＭＳ／ＵＥは、ＭＳ／ＵＥが推定する送信ランクに関係なく、図２１でＤＭ-ＲＳパターンを仮定してＣＱＩ値を計算できる。
【００９７】
上記した内容を実現するために、３ＧＰＰ  ＴＳ  Ｎｏ.３６.２１３のセクション７.２.３は、リリース１０又は以後の送信モードに対して変更され、ＣＱＩ基準リソースで、ＵＥは、ＣＱＩインデックスを推定するために次のように仮定する。１)最初の３個のＯＦＤＭシンボルは、制御シグナリングによって占有されること、２)１次又は２次同期化信号又はＰＢＣＨによりリソース要素が使用されないこと、３)非ＭＢＳＦＮサブフレームのＣＰ長さ、４)リダンダンシーバージョン０、５)ＵＥに対して現在構成される送信モード(デフォルトモードであり得る)に基づいて表７.２.３-０によって与えられるＰＤＳＣＨ送信方式、及び６)ＵＥがランク依存的ＤＭ  ＲＳパターンのセットを有する送信モードで構成される場合、アンテナポート７，８，９，１０に対するＵＥ特定ＲＳ  ＳＥがＵＥ特定ＲＳにより占められる。
【００９８】
ＬＴＥリリース９移動局に対するＣＱＩ定義：
図２２は、リリース９で３ＧＰＰ  ＬＴＥシステムに対するＤＭ-ＲＳパターンを示す。リリース９では、一つのＤＭ-ＲＳパターンのみが存在する。送信モード８は、デュアル階層ビーム形成(ＭＳ/ＵＥに対してランク２まで又は最大２個のストリームまで)をサポートして２個のＤＭ-ＲＳポート、すなわちアンテナポート７及び８をサポートするリリース９ＬＴＥ送信に対して定義される。送信モード８で移動局は、ＣＱＩ、ＰＭＩ、及びＲＩを推定するためにＣＲＳリソース要素を使用する。したがって、ＣＱＩ推定は、ＰＤＳＣＨ  ＥＰＲＥ対ＣＲＳ  ＥＰＲＥの比、すなわちΔＡ＝Ａ/Ｐ及びΔＢ＝Ｂ/Ｐを使用する。ここで、Ａ、Ｂ、及びＰは、図２２に示すＥＰＲＥマップで見ることができる。送信モード８に対してＣＱＩ報告の２つのモード、すなわち１)ＣＱＩ報告モード１-ＰＭＩ/ＲＩ報告のないＴｘＤベースのＣＱＩ、２)ＣＱＩ報告モード２-構成されたＰＭＩ/ＲＩ報告を有する閉ループ空間多重化に基づいたＣＱＩ報告が存在する。
【００９９】
ＣＱＩ報告Ｉが構成される場合(ここで、Ｉ＝１又は２)、ＭＳ/ＵＥは、ＣＱＩ計算のためにＤＭ-ＲＳリソース要素を除外できる。前述した内容を実現するために、３ＧＰＰ  ＴＳ  Ｎｏ.３６.２１３のセクション７.２.３は、送信モード８に対して変更でき、ＣＱＩ基準リソースで、ＵＥは、ＣＱＩインデックスを推定するために次のように仮定する。１)最初の３個のＯＦＤＭシンボルは制御シグナリングによって示される、２)送信モード８のＵＥに対して、非ＤｗＰＴＳサブフレームでアンテナポート７及び８に対して定義されるようなＵＥ特定ＲＳパターンはＵＥ-ＲＳに対して占有される。
【０１００】
あるいは、このようなＣＱＩ計算に対する条件をＲＩ/ＰＭＩ報告で構成されるＵＥに適用する。上述した内容を実現するために、３ＧＰＰ  ＴＳ  Ｎｏ.３６.２１３のセクション７.２.３が変更され、ＣＱＩ基準リソースで、ＭＳ/ＵＥは、ＣＱＩインデックスを推定するために次のように仮定することができる。１)最初の３個のＯＦＤＭシンボルは制御シグナリングによって占有される、２)ＰＭＩ/ＣＱＩ報告で構成される送信モード８のＵＥに対して、非ＤｗＰＴＳサブフレームでアンテナポート７及び８に対して定義されたようなＵＥ特定ＲＳパターンは、ＵＥ-ＲＳに対して占有される。
【０１０１】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１０２】
１００  無線ネットワーク
１０１  基地局(ＢＳ)
１０２  基地局(ＢＳ)
１０３  基地局(ＢＳ)
１１１  移動局(ＭＳ)
１１２  移動局(ＭＳ)
１１３  移動局(ＭＳ)
１１４  移動局(ＭＳ)
１１５  移動局(ＭＳ)
１１６  移動局(ＭＳ)
１２０  基地局１０２のカバレッジ領域
１２５  基地局１０３のカバレッジ領域
１３０  ＩＰネットワーク
【図１】
0005645962.tif 000009
【図２】
0005645962.tif 000010
【図３】
0005645962.tif 000011
【図４】
0005645962.tif 000012
【図５】
0005645962.tif 000013
【図６】
0005645962.tif 000014
【図７】
0005645962.tif 000015
【図８】
0005645962.tif 000016
【図９】
0005645962.tif 000017
【図１０】
0005645962.tif 000018
【図１１】
0005645962.tif 000019
【図１２】
0005645962.tif 000020
【図１３】
0005645962.tif 000021
【図１４】
0005645962.tif 000022
【図１５】
0005645962.tif 000023
【図１６】
0005645962.tif 000024
【図１７】
0005645962.tif 000025
【図１８】
0005645962.tif 000026
【図１９】
0005645962.tif 000027
【図２０】
0005645962.tif 000028
【図２１】
0005645962.tif 000029
【図２２】
0005645962.tif 000030